(57)【要約】      （修正有）【課題】装置全体を小型化できると共に、電源を必要としないことから使用する場所に限定されずに炭酸泉を生成することができる炭酸泉生成装置を提供する。【解決手段】炭酸泉生成装置は、炭酸ガスを供給する炭酸ガス供給装置１０と、浴槽２内に浸漬されて配置されると共に、前記炭酸ガス供給装置１０によって供給される炭酸ガスを浴槽２内の液体に溶解させる炭酸ガス混合装置２０とを有する。浴槽２の水を汲み上げたり、循環させたりするためのポンプを必要としないために、装置全体を小型化でき、電源を必要としない。【選択図】図３
0003171269.tif 000002
【実用新案登録請求の範囲】
【請求項１】
炭酸ガスを供給する炭酸ガス供給部と、
浴槽内に浸漬されて配置されると共に、前記炭酸ガス供給部によって供給される炭酸ガスを浴槽内の液体に溶解させる炭酸ガス混合部と、を有することを特徴とする炭酸泉生成装置。
【請求項２】
前記炭酸ガス混合部は、前記炭酸ガス供給部によって供給される炭酸ガスを微細な気泡に分散させる微細泡発生部を有することを特徴とする請求項１に記載の炭酸泉生成装置。
【請求項３】
前記炭酸ガス混合部は、前記微細泡発生部を収容するハウジングを有し、
前記ハウジングは、前記微細泡発生部によって発生された気泡を介して炭酸ガスが溶解された液体を前記ハウジングの外部に吐出する吐出孔と、
前記吐出孔から吐出された分の液体を前記ハウジング内に補給する給水孔とを有することを特徴とする請求項２に記載の炭酸泉生成装置。
【請求項４】
前記炭酸ガス混合部は、前記吐出孔が前記給水孔よりも上方に位置するように前記浴槽内に配置されることを特徴とする請求項３に記載の炭酸泉生成装置。
【請求項５】
前記炭酸ガス供給部は、導管を介して前記炭酸ガス混合部に接続されると共に、前記浴槽の外に配置されることを特徴とする請求項１乃至４の何れか１項に記載の炭酸泉生成装置。
【考案の詳細な説明】
【技術分野】
【０００１】
本考案は、簡単に炭酸泉を生成することができる炭酸泉生成装置に関するものである。
【背景技術】
【０００２】
炭酸泉は高濃度で炭酸ガスを溶解させた温泉であり、その効能は健康に良いものとして広く認知されている。水中に溶解した炭酸ガスは、まず水もしくは水蒸気によって皮膚表面の脂肪に吸収され皮膚内部へと浸透し経皮吸収される。経皮吸収された炭酸ガスは血管内部へと浸透し、血液中の炭酸ガス濃度または分圧を高めることにより、生体の防御反応が機能し末梢血管を拡張させ血流量を増大させる。末梢血管の拡張により血流量は増大しているにもかかわらず血圧は低下するので、入浴による循環器への負担を大幅に軽減させる。さらに血流量の増大により皮膚深部温を上昇させるので、比較的低温の入浴にもかかわらず長時間湯冷めしない入浴が可能となる。また、代謝の向上によりコリやむくみを軽減することが可能であり、とくに高齢者や心臓疾患はもとより幅広い使用者が健康、快適でかつ安全に入浴を行うことができる。
【０００３】
従来、例えば特許文献１に開示されているような炭酸泉の製造方法が知られている。特許文献１に開示された炭酸泉を製造する装置は、浴槽、導管、吸引ポンプ、炭酸ガス溶解器、炭酸ガスボンベ、濃度センサおよび炭酸ガス制御弁などを備えている。浴槽の水は、吸引ポンプによって吸引された後、炭酸ガス溶解器を経ることで炭酸ガスが溶解され、浴槽に循環する。このように構成することで、効率的に炭酸ガスを水に溶解させることができる。
【先行技術文献】
【特許文献】
【０００４】
【特許文献１】特開平７−３１３８５５号公報
【考案の概要】
【考案が解決しようとする課題】
【０００５】
しかしながら、特許文献１に開示された装置では、浴槽の水を炭酸ガス溶解器まで吸引させるための吸引ポンプが必要であるために、装置全体が大型化してしまうという問題がある。このような大型な装置では、設置スペースを確保するのが困難であったり、装置を持ち運ぶことが困難であったりする。
更に、吸引ポンプを駆動するには、電源が必要であるために、電源を確保することができない場所では使用することができず、装置を使用できる範囲が限られてしまうという問題がある。
本考案は、上述したような問題点に鑑みてなされたものであり、可搬性に優れ、電源を必要としない炭酸泉生成装置を提供することを目的とする。
【課題を解決するための手段】
【０００６】
本考案は、炭酸ガスを供給する炭酸ガス供給部と、浴槽内に浸漬されて配置されると共に、前記炭酸ガス供給部によって供給される炭酸ガスを浴槽内の液体に溶解させる炭酸ガス混合部と、を有することを特徴とする。
また、前記炭酸ガス混合部は、前記炭酸ガス供給部によって供給される炭酸ガスを微細な気泡に分散させる微細泡発生部を有することを特徴とする。
また、前記炭酸ガス混合部は、前記微細泡発生部を収容するハウジングを有し、前記ハウジングは、前記微細泡発生部によって発生された気泡を介して炭酸ガスが溶解された液体を前記ハウジングの外部に吐出する吐出孔と、前記吐出孔から吐出された分の液体を前記ハウジング内に補給する給水孔とを有することを特徴とする。
また、前記炭酸ガス混合部は、前記吐出孔が前記給水孔よりも上方に位置するように前記浴槽内に配置されることを特徴とする。
また、前記炭酸ガス供給部は、導管を介して前記炭酸ガス混合部に接続されると共に、前記浴槽の外に配置されることを特徴とする。
【考案の効果】
【０００７】
本考案によれば、装置全体を小型化できると共に、電源を必要としないことから使用する場所に限定されずに炭酸泉を生成することができる。
【図面の簡単な説明】
【０００８】
【図１】本実施形態に係る炭酸泉生成装置の構成を示す図である。
【図２】本実施形態に係る炭酸ガス混合装置の分解斜視図である。
【図３】本実施形態に係る炭酸泉生成装置の使用方法を説明するための図である。
【図４】本実施形態に係る炭酸ガス混合装置の断面図である。
【考案を実施するための形態】
【０００９】
以下、本考案に係る実施形態について図面を参照して説明する。
図１は、本考案に係る炭酸泉生成装置１の構成を示す斜視図である。
図１に示すように、炭酸泉生成装置１は、炭酸ガス供給部としての炭酸ガス供給装置１０と、炭酸ガス混合部としての炭酸ガス混合装置２０とが可撓性の導管１５によって接続されて構成されている。
炭酸ガス供給装置１０は、容器体１１と、減圧器１２とを有している。容器体１１は、いわゆるハンディボンベであり、炭酸ガスが非常に高圧縮された状態で収容されている。本実施形態の容器体１１には例えば約１０ｌ〜２０ｌの炭酸ガスが収容されている。減圧器１２は、つまみ部１３と、吹き出し口１４とを有している。減圧器１２を容器体１１に取り付けることで、容器体１１に高圧縮された炭酸ガスを減圧させて、取り出すことができる。使用者は、つまみ部１３を開口することで、容器体１１に収容された炭酸ガスを、吹き出し口１４から導管１５に勢いよく放出させることができる。
【００１０】
炭酸ガス混合装置２０は、浴槽内に浸漬させて使用され、浴槽内の液体（以下、液体として水を用いる）と炭酸ガス供給装置１０から供給された炭酸ガスとを混合させる。図２は、本考案に係る炭酸ガス混合装置２０の分解斜視図である。
図２に示すように、炭酸ガス混合装置２０は、ハウジング２１、微細泡発生部（気泡発生部）２２、ハウジング２１の一部として構成されるキャップ２３、２５などを有している。ハウジング２１は、内部が中空の円筒状に形成されている。ハウジング２１の両端は、それぞれキャップ２３、２５を取り付けるためのネジ部２１ａ、２１ｂが形成されている。また、ハウジング２１の中央、略ネジ部２１ｂ寄りには、ハウジング２１の内部と外部とを連通させる吐出孔２１ｃが形成されている。吐出孔２１ｃは、ハウジング２１内部で混合された炭酸ガスおよび水をハウジング２１の外部に吐出させる孔である。吐出孔２１ｃは、ハウジング２１の円周方向に沿って等間隔に複数形成されている。
【００１１】
微細泡発生部２２は、略円柱状であって全体が多孔質性物質によって形成されている。すなわち、微細泡発生部２２の外周も全体に亘って内部と通じる微細な噴出孔として形成される。微細泡発生部２２は、接続管２２ａ、継手２２ｂなどを介して、上述した導管１５に接続される。したがって、炭酸ガスは導管１５を通して微細泡発生部２２内部まで浸透する。微細泡発生部２２内部に浸透した炭酸ガスは、噴出孔から微細な気泡となって大量に噴出される。なお、微細泡発生部２２としては、例えばエアストーンを用いることができるが、エアストーンに限られず、微細な気泡を発生できるものであれば適宜のものを用いることができる。
【００１２】
キャップ２３は、ハウジング２１のネジ部２１ａに取り付けられる。キャップ２３は、ネジ部２１ａに取り付けられた状態で浴槽内の水をハウジング２１内に取り込むための給水孔２３ａが形成されている。キャップ２３の内部には、フィルタ２４が給水孔２３ａを閉塞する態様で取り付けられる。フィルタ２４は、メッシュ状に形成され、不純物がハウジング２１内に浸入するのを防止する。また、フィルタ２４は、Ｏリング２３ｂ、２３ｃにより挟まれた状態でキャップ２３に取り付けられる。
【００１３】
一方、キャップ２５は、ハウジング２１のネジ部２１ｂに取り付けられる。キャップ２５は、ネジ部２１ｂに取り付けられた状態で導管１５の継手１５ａをハウジング２１内に挿通させるための貫通孔２５ａが形成されている。キャップ２５の内部には、中央に穴が形成されたプレート２６が取り付けられている。プレート２６は、Ｏリング２５ｂ、２５ｃにより挟まれた状態でキャップ２５に取り付けられる。また、プレート２６は、継手２７が一体に固定されており、この継手２７を介して、微細泡発生部２２の継手２２ｂおよび導管１５の継手１５ａをワンタッチで取り付けることができる。また、継手２７に継手２２ｂを取り付けた状態では、プレート２６は微細泡発生部２２をハウジング２１内部の所定の位置に保持する役割を有している。
【００１４】
次に、上述したように構成される炭酸ガス混合装置２０を組み立てる方法について説明する。まず、キャップ２５内に取り付けられているプレート２６の継手２７に、微細泡発生部２２を継手２２ｂを介して取り付ける。次に、微細泡発生部２２をハウジング２１内に挿入させながら、微細泡発生部２２を取り付けたキャップ２５をハウジング２１のネジ部２１ｂに螺合する。次に、フィルタ２４が取り付けられたキャップ２３をハウジング２１のネジ部２１ａに螺合する。最後に、導管１５の継手１５ａをキャップ２５の貫通孔２５ａに挿通させて、プレート２６の継手２７に取り付ける。
【００１５】
図４は、上述したように組み立てられた炭酸ガス混合装置２０を切断した断面図である。
図４に示すように、炭酸ガス混合装置２０が組み立てられた状態では、ハウジング２１の内部と外部とは、ハウジング２１の吐出孔２１ｃおよびキャップ２３の給水孔２３ａを介してのみ通じている。すなわち、ハウジング２１とキャップ２３との間およびハウジング２１とキャップ２５との間は、Ｏリング２３ｂ、２３ｃ、２５ｂ、２５ｃによってそれぞれ密閉されているため水や気泡が漏出することがない。
【００１６】
次に、炭酸ガス供給装置１０および炭酸ガス混合装置２０を備える炭酸泉生成装置１を用いて炭酸泉を生成する方法について説明する。
図３は、炭酸泉生成装置１の使用方法を説明するための図である。図３には水または温水が満たされた小型な浴槽２が示されている。ここでは、浴槽２として例えば人間の両足あるいは犬などの動物の全身を浸すことができるサイズのものを用いている。
【００１７】
炭酸泉を生成するには、図３に示すように、炭酸ガス混合装置２０を浴槽２内の水中に浸漬させる。浸漬させることで、ハウジング２１内は吐出孔２１ｃおよび給水孔２３から浸入した浴槽２内の水で満たされる。このとき、炭酸ガス混合装置２０は、浴槽２の底面２ａに接触させず、底面２ａから離間させた状態にする。また、炭酸ガス混合装置２０は、長手方向を上下に沿った状態にする。具体的には、少なくともハウジング２１の吐出孔２１ｃが給水孔２３ａよりも上方に位置する状態にする。なお、炭酸ガス混合装置２０を上述するような状態に維持するには、導管１５を浴槽２の上端縁２ｂに引っ掛けるようにして炭酸ガス混合装置２０を上端縁２ｂからぶら下げるようにしたり、浴槽２内に一体または別体で設けた保持部２ｃにより炭酸ガス混合装置２０を一定の姿勢に保持させたりすることで実現できる。
一方、炭酸ガス供給装置１０は、浴槽２に浸漬させず浴槽２の外部に配置する。
【００１８】
上述したように炭酸泉生成装置１を配置した後、使用者は炭酸ガス供給装置１０のつまみ部１３を開口させる。つまみ部１３を開口させることで、容器体１１に収容された炭酸ガスが導管１５を通じて炭酸ガス混合装置２０に勢いよく放出させる。
図４に示すように、導管１５を通じて炭酸ガス混合装置２０に放出された炭酸ガスは全て、継手１５ａ、継手２７、継手２２ｂおよび接続管２２ａを介して、微細泡発生部２２に浸透される。微細泡発生部２２に浸透された炭酸ガスは、多孔質性物質によって微細な気泡に分散され、分散された気泡状の炭酸ガスは噴出孔から大量に噴出する。
【００１９】
微細泡発生部２２から噴出した気泡状の炭酸ガスは、微細泡発生部２２の周囲を取り囲んでいる水と接触して溶解する。ここでは、所定の量の炭酸ガスに対して、大きな気泡を少量発生させるのではなく、微細な気泡を大量に発生させている。微細な気泡を大量に発生させることで、気泡と水との接触面積を増大させて、炭酸ガスを水に効率よく溶解させることができる。
炭酸ガスが溶解した水および溶解しきれず気泡状のままの炭酸ガスは、継続して後から発生される気泡によって、押し出されハウジング２１の吐出孔２１ｃからハウジング２１の外部に吐出される。このとき、比重が軽い気泡状の炭酸ガスは、給水孔２３ａよりも上方に位置する吐出孔２１ｃから吐出され、給水孔２３ａから吐出されることはない。このようにして、炭酸泉生成装置１では、吐出孔２１ｃから炭酸ガスを溶解した水を発生させて炭酸泉を生成する。
【００２０】
また、炭酸ガスが溶解した水がハウジング２１の吐出孔２１ｃから吐出された分だけ、炭酸ガスが溶解していない浴槽２の水が給水孔２３ａを介してハウジング２１内に補給される。したがって、浴槽２内では、図４の矢印Ａに示すように対流が発生し、浴槽２内の炭酸泉の生成が促進される。このとき、水が給水孔２３ａからハウジング２１内に補給されるときに、給水孔２３ａに隣接するフィルタ２４を通して補給されるために、フィルタ２４が不純物のハウジング２１内への侵入を防止することができる。
【００２１】
このように炭酸泉生成装置１が炭酸ガスを溶解した水を生成することで、容易に浴槽２内を炭酸泉として生成することができる。使用者は、図３に示すように浴槽２内に生成された炭酸泉に足を浸すことで、水中に溶解した炭酸ガスが皮膚表面の脂肪に吸収され皮膚内部へと浸透し経皮吸収され、炭酸泉の効果を得ることができる。また、犬などの動物も同様に、炭酸泉に全身を浸ることで、炭酸泉の効果を得ることができる。
【００２２】
次に、上述した炭酸泉生成装置１を用いて実際に炭酸泉を生成した結果について説明する。ここでは、浴槽２内の水量を４ｌ、水温を４０℃とし、炭酸ガス供給装置１０による炭酸ガスを放出するときの圧力を２．０ｋｇｆ／ｃｍ2として、炭酸泉を生成した。
その結果、３０秒後に７．２ＰＨ、６０秒後に６．６ＰＨ、９０秒後に５．６ＰＨ、１２０秒後に５．４ＰＨとなった。５．４ＰＨは、炭酸ガスの濃度が略７００ｐｐｍから１０００ｐｐｍであり、炭酸泉の効果を得るには十分な濃度である。
このように、炭酸泉生成装置１では、短時間に高濃度の炭酸泉を生成することができることが実証された。
【００２３】
上述したように本実施形態に係る炭酸泉生成装置１は、浴槽２の水を汲み上げたり、循環させたりするためのポンプを必要としないために、装置全体の小型化を実現することができる。したがって、大きな設置スペースを確保する必要がないと共に可搬性に優れている。また、電源を必要としないために、どのような場所にでも使用することができる。
【００２４】
また、炭酸泉生成装置１では、炭酸ガス供給装置１０から炭酸ガスを放出するときの圧力を用いることで、炭酸ガス混合装置２０のハウジング２１の吐出孔２１ｃから炭酸ガスが溶解された水を吐出させ、給水孔２３ａから水を補給させ、浴槽２内の水を対流させている。したがって、ポンプを用いなくとも、浴槽２内の水を循環させることで高濃度の炭酸泉を効率よく生成することができる。
【００２５】
以上、本考案を上述した実施形態と共に説明したが、本考案は上述した実施形態にのみ限定されるものではなく、本考案の範囲内で変更などが可能である。
例えば、上述した実施形態では、浴槽２のサイズとして人間の両足あるいは犬などの動物の全身を浸すことができるサイズのものを用いる場合について説明したが、この場合に限られず、人間の全身を浸すことができるサイズの浴槽２を用いてもよい。この場合、炭酸ガス供給装置１０には、ハンディボンベよりも大型なボンベを用いることができる。この場合であっても、上述した実施形態と同様な効果を奏することができる。
【符号の説明】
【００２６】
１：炭酸泉生成装置  ２：浴槽  １０：炭酸ガス供給装置（炭酸ガス供給部）  １１：容器体  １２：減圧器  １３：つまみ部  １４：吹き出し口  １５：導管  ２０：炭酸ガス混合装置（炭酸ガス混合部）  ２１：ハウジング  ２１ｃ：吐出孔  ２２：微細泡発生部  ２３：キャップ  ２３ａ：給水孔  ２４：フィルタ  ２５：キャップ
【図１】
0003171269.tif 000003
【図２】
0003171269.tif 000004
【図３】
0003171269.tif 000005
【図４】
0003171269.tif 000006